(57)【要約】【課題】単純な形状かつ少ない部品数で構成され、落下などの衝撃に耐えうる強度を有する電池保持用蓋を有し、電池を確実に保持した上で電池の脱着が容易な電池保持構造及び該構造を有する電子機器を提供する。【解決手段】電池収納部の開口部外周には、電池蓋部と係合する係合凸部を設け、電池収納空間の奥側底面には、電池を前記電池蓋部方向に付勢する付勢部材を備え、前記電池蓋部は可撓性を有する材料で形成され、電池収納空間に収納された電池を付勢部材側に押圧する蓋本体部と、該蓋本体部の外周囲に延在して凸部を把持する湾曲部とを備えるとともに、前記蓋本体部を電池収納空間側に押圧させて形成される該蓋本体部の変形に連動して、前記湾曲部が凸部係合位置よりの離間方向に変形し、これにより、前記電池蓋部の電池収納部との係合が解除されるように構成する。【選択図】      図２
2004253240.tif 000002
【特許請求の範囲】
【請求項１】
入力された処理を行う制御部を備え、一面に開口部を有し前記制御部に電力の供給を行う電池の収納空間を内部に有する電池収納部と、該電池収納部の開口部を覆う電池蓋部とを有する電子機器において、
前記電池収納部の開口部外周には、前記電池蓋部と係合する係合凸部を有し、前記収納空間の奥側底面には、前記電池を前記電池蓋部方向に付勢する付勢部材を備え、
前記電池蓋部は可撓性を有する材料で形成され、前記収納空間に収納された電池を前記付勢部材側に押圧する蓋本体部と、該蓋本体部の外周囲に延在して前記凸部を把持する湾曲部とを備えるとともに、
前記蓋本体部を前記収納空間側に押圧させて形成される該蓋本体部の変形に連動して、前記湾曲部が凸部係合位置よりの離間方向に変形し、これにより、前記電池蓋部の前記電池収納部との係合が解除されることを特徴とする電子機器。
【請求項２】
前記電池蓋部には、前記蓋本体部の略中央に位置する部分に前記収納空間と反対の方向に膨出する押圧変形部を設けたことを特徴とする請求項１記載の電子機器。
【請求項３】
前記付勢部材は、電極であることを特徴とする請求項１記載の電子機器。
【請求項４】
前記付勢部材は、前記蓋本体部が押圧により前記収納空間の中心方向へ変形移動する距離の最大値よりも大きな距離を圧縮変形可能であることを特徴とする請求項１記載の電子機器。
【請求項５】
前記電池蓋部が単一の部材で構成されていることを特徴とする請求項１記載の電子機器。
【請求項６】
前記蓋本体部の形状が、略円形若しくは多角形であることを特徴とする請求項１記載の電子機器。
【請求項７】
前記凸部の係合位置が外周側に拡径された拡径凸部であり、一方前記湾曲部は前記拡径凸部に係合し、該湾曲部が径方向に複数に分割されていることを特徴とする請求項１記載の電子機器。
【請求項８】
表示部及び操作部を有する情報端末であって、
前記操作部の背面側に前記電池収納部の前記電池蓋部を有することを特徴とする請求項１記載の電子機器。
【請求項９】
一面に開口部を有し内部に電池の収納空間を有する電池ホルダー本体部と、該電池ホルダー本体部の開口部を覆う電池蓋部とを有する電池保持構造において、
前記電池ホルダー本体部の開口部外周には、前記電池蓋部と係合する係合凸部を有し、
前記収納空間の奥側底面には、前記電池を前記電池蓋部方向に付勢する付勢部材を備え、
前記電池蓋部は可撓性を有する材料で形成され、前記収納空間に収納された電池を前記付勢部材側に押圧する蓋本体部と、該蓋本体部の外周囲に延在して前記凸部を把持する湾曲部とを備えるとともに、
前記蓋本体部を前記収納空間側に押圧させて形成される該蓋本体部の変形に連動して、前記湾曲部が凸部係合位置よりの離間方向に変形し、これにより、前記電池蓋部の前記電池ホルダー本体部との係合が解除されることを特徴とする電池保持構造。
【発明の詳細な説明】
【０００１】
【発明の属する技術分野】
本発明は、電池の収納部を蓋部で覆う構成を有する電池保持構造及び該電池保持構造を有する電子機器に関するものである。
【０００２】
【従来の技術】
一般に携帯電話などの電子機器においては、制御部に電力を供給する方法として、充電式や交換式の電池が使用されている。また、これらの電池は主電源からの電力供給が止まった場合であってもメモリに記録された情報が消失しないよう、バックアップ電池としても使用されている。
そしてこれらの電池は、機器本体の電池取り付け部にそのまま取り付けられるか、または機器本体に設けられた電池収納部に収納された上で蓋を閉めて保持される。また、機器本体とは別に電力供給部を設け、該電力供給部に同様にして収納・保持される。
【０００３】
こういった電池を保持する構成として、突起部を有する板バネ状の枠部を具える電池ホルダであって、前記枠部により円盤形電池の周面両側から電池を挟み込むとともに該円盤形電池の端面に押圧力を加え、前記突起部により電池の抜けを防ぎ、これにより電池ホルダ内に電池を容易にスライドして入れることができるとともに、一旦挿入された電池は容易に電池ホルダから脱落しないというものがある（特許文献１）。
【０００４】
また別の構成として、電池を樹脂成形材で覆い電池パックとして、該電池を取り付けるべき機器本体及び前記電池パックに嵌め込み用溝を設け前記電池パックが前記機器本体にスライドして嵌め込み取り付けできるように構成し、更に前記電池パックにフックを設けて該フックを前記機器本体に設けられたロック用溝に勘合してロックすることにより前記電池パックを前記機器本体に取り付けた後は該電池パックの抜けを防ぐように構成したものが知られている。
【０００５】
【特許文献１】
特開平６−２６０１５９号公報
【０００６】
【発明が解決しようとする課題】
ところでこれらの構成によると、枠部やフックなど部品の形状が複雑である上に部品の点数が多いため、部品にかかるコストが大きくなるという問題がある。また、電池パックや電池ホルダは落下した場合に備えて落下の衝撃に耐えうる程度の強度が要求される上、これらの構成はスライド機構やロック機構を採用していることから嵌め込み用溝やロック用溝を成形する際に厳しい部品精度が要求され、更に部品にコストがかかる。
また、電池や電池パックをスライドさせて脱着するためには、電池ホルダや機器本体の特定の方向から電池や電池パックの位置を合わせて操作する必要があり、操作性の面からも好ましくない。
【０００７】
本発明の目的は、単純な形状かつ少ない部品数で構成され、落下などの衝撃に耐えうる強度を有する電池保持用蓋を有し、電池を確実に保持した上で電池の脱着が容易な電池保持構造及び該構造を有する電子機器を提供することである。
【０００８】
【課題を解決するための手段】
本発明によれば、入力された処理を行う制御部を備え、一面に開口部を有し前記制御部に電力の供給を行う電池の収納空間を内部に有する電池収納部と、該電池収納部の開口部を覆う電池蓋部とを有する電子機器において、
前記電池収納部の開口部外周には、前記電池蓋部と係合する係合凸部を有し、前記収納空間の奥側底面には、前記電池を前記電池蓋部方向に付勢する付勢部材を備え、
前記電池蓋部は可撓性を有する材料で形成され、前記収納空間に収納された電池を前記付勢部材側に押圧する蓋本体部と、該蓋本体部の外周囲に延在して前記凸部を把持する湾曲部とを備えるとともに、
前記蓋本体部を前記収納空間側に押圧させて形成される該蓋本体部の変形に連動して、前記湾曲部が凸部係合位置よりの離間方向に変形し、これにより、前記電池蓋部の前記電池収納部との係合が解除されることを特徴とする電子機器が得られる。
【０００９】
また、本発明にかかる電子機器においては、前記電池蓋部には、前記蓋本体部の略中央に位置する部分に前記収納空間と反対の方向に膨出する押圧変形部を設けてもよい。
【００１０】
また本発明にかかる電子機器において、前記付勢部材は、前記蓋本体部が押圧により前記収納空間の中心方向へ変形移動する距離の最大値よりも大きな距離を圧縮変形可能であることが好ましい。
【００１１】
また、前記電池蓋部の蓋本体部の形状は略円形若しくは多角形であることが好ましい。
【００１２】
また本発明にかかる電子機器においては、前記付勢部材は電極であってもよいし、前記電池蓋部を単一の部材で構成してもよい。
【００１３】
また本発明にかかる電子機器は、前記電池収納部の開口部に設けられた凸部の係合位置が外周側に拡径された拡径凸部であり、一方前記電池蓋部の湾曲部は前記拡径凸部に係合し、該湾曲部が径方向に複数に分割されている。
【００１４】
そして本発明にかかる電子機器は、表示部及び操作部を有する情報端末であって、前記操作部の背面側に前記電池収納部の前記電池蓋部を有することを特徴とするものであることが特に好ましい。
【００１５】
また、本発明にかかる電池保持構造は、一面に開口部を有し内部に電池の収納空間を有する電池ホルダー本体部と、該電池ホルダー本体部の開口部を覆う電池蓋部とを有する電池保持構造であって、前記電池ホルダー本体部の開口部外周には、前記電池蓋部と係合する係合凸部を有し、前記収納空間の奥側底面には、前記電池を前記電池蓋部方向に付勢する付勢部材を備え、前記電池蓋部は可撓性を有する材料で形成され、前記収納空間に収納された電池を前記付勢部材側に押圧する蓋本体部と、該蓋本体部の外周囲に延在して前記凸部を把持する湾曲部とを備えるとともに、前記蓋本体部を前記収納空間側に押圧させて形成される該蓋本体部の変形に連動して、前記湾曲部が凸部係合位置よりの離間方向に変形し、これにより、前記電池蓋部の前記電池ホルダー本体部との係合が解除されることを特徴とする。
【００１６】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００１７】
図２（Ａ）を参照して、電子機器本体には電池収納部１９が設けられており、電池収納部１９の収納空間１８の中に電池（ボタン電池）１５が納められた状態でその上から電池蓋部１４がかぶせられている。電池１５の上にかぶせられた電池蓋部１４の湾曲部１４ｂは、電池収納部１９の開口部１９ｂ外周に設けられた凸部１９ａを包む状態で把持しており、電池１５はこの状態で保持される。
【００１８】
また、蓋本体部１４ａには図に示すように、そのほぼ中央部を他の部分より膨出させた押圧変形部１４ｃを設けても良い。押圧変形部１４ｃの形成方法としては、蓋本体部１４ａのほぼ中央部を図に示すように段階状に膨出させても良いし、特に段階を設けず連続的に膨出させても良いが、電池を安定して保持するためには蓋本体部１４ａの電池１５に接触する部分は平面状であることが好ましい。
【００１９】
そして電池蓋部を取り外す場合は、図２（Ａ）の矢印で示すように、押圧変形部１４ｃを収納空間１８の方向に押圧する。これにより、押圧変形部１４ｃが図２（Ｂ）のように収納空間１８の方向に変形するとともに、これに連動して湾曲部１４ｂが凸部１９ａから乖離する方向に変形し、電池蓋部１４と電池収納部１９の係合が解除される。そして電池蓋部１４を持ち上げると図２（Ｃ）のように開口部１９ｂが開いた状態になり、電池１５を取り出すことができる。
【００２０】
そして電池蓋部１４を再び電池収納部１９に取り付ける際は、開口部１９ｂに電池蓋部１４をかぶせ、図２（Ｂ）の矢印で示すように湾曲部１４ｂを凸部１９ａの方向に押圧する。これにより図２（Ａ）のように湾曲部１４ｂが凸部１９ａを把持するように変形され、これに連動して押圧変形部１４ｃが収納空間１８と逆の方向に膨出するように変形する。
【００２１】
収納空間１８の周面からは電極１７が電池１５に当接するように突出している。そして収納空間１８の底面１８ａには電極１７とは逆の極性の電極１６が板バネ状に形成されており、電極１６によって電池１５は蓋本体部１４ａ方向に付勢される。なお、図２（Ｃ）に示すように、電池蓋部１４を取り外した状態では電池１５は電極１６からの付勢によって開口部１９ｂから飛び出した状態であり、収納空間底面１８ａからＤ３の距離だけ離れている。この距離Ｄ３は、電池蓋部１４を電池収納部１９に取り付けた状態での電池１５から底面１８ａまでの距離、すなわち図２（Ａ）に示す距離Ｄ１よりも大きい。つまり、電極１６は電池蓋部１４を電池収納部１９に取り付けた状態で、更に電池１５を蓋本体部１４ａ方向に付勢することができ、これにより蓋本体部１５はほぼ中央部が電極１６により付勢された電池１５により押圧される。この押圧力は電池蓋部１４を取り外す際に加えられる押圧力の方向（図２（Ａ）の矢印で示す方向）と反対の方向であり、この押圧力を受けることに連動して湾曲部１４ｂが凸部１９ａに密着する方向に力が加わるので、湾曲部１４ｂはよりいっそうしっかりと凸部１９ａを把持することができる。
【００２２】
一方、電池蓋部１４を取り外すために押圧変形部１４ｃ（蓋本体部１４ａ）を押圧すると、蓋本体部１４ａが収納空間１８の方向へ凹んだ形状へと変形し、これに伴い電池１５と底面１８ａとの距離は縮まり、図２（Ｂ）に示すように距離Ｄ２まで縮む。すなわち、蓋本体部１４ａの矢印方向への移動量分（距離にしてＤ２−Ｄ１）だけ電極１６は圧縮変形される。しかし電極１６がＤ２以下の距離まで圧縮可能であると、電池蓋部１４を取り外す際に蓋本体部１４ａを充分に押圧することができ、また蓋本体部１４ａを電池蓋部１４を取り外すのに充分な押圧量以上に押圧し過ぎた場合であっても、電極が破損してしまうことがない。
すなわちより、電極１６の圧縮変形可能な量についてはＤ１−Ｄ２以上とすることが好ましい。
【００２３】
上記に示した実施例の他の実施例として、電子機器本体とは別に設けられた電池保持構造を図３に示す。
図３において、１３は電池ホルダー本体部、１３ａは開口部１３ｂの外周に設けられた凸部である。その他の構成のうち、図１及び図２に示したものと同じものは同じ符号を付すこととする。
【００２４】
この電池保持構造に使用される電池蓋部１４はほぼ平らな面を有する蓋本体部１４ａと、蓋本体部１４ａの外周囲に延在する湾曲部１４ｂからなる。この湾曲部は、径方向に複数に分割されている。
図３（Ａ）に示す電池蓋部１４の蓋本体部１４ａは図１の電池蓋部と同様に円形であるが、図３（Ｂ）のように四角形にしてもよい。
【００２５】
電池蓋部１４を電池ホルダー本体部１３に取り付ける際は、開口部１３ｂに電池蓋部１４をかぶせ、湾曲部１４ｂを凸部１３ａの方向に押圧する。これにより湾曲部１４ｂが凸部１３ａを把持するように変形され、これに連動して押圧変形部１４ｃが収納空間１８と逆の方向に膨出するように変形する。
このようにして、電池ホルダー本体部１３の収納空間１８の中に電池（ボタン電池）１５が納められた状態でその上から電池蓋部１４がかぶせて取り付けられた状態となる。電池１５の上にかぶせられた電池蓋部１４の湾曲部１４ｂは、電池ホルダー本体部１３の開口部１３ｂ外周に設けられた凸部１３ａを包む状態で把持しており、電池１５はこの状態で保持される。
【００２６】
そして電池蓋部を取り外す場合は、押圧変形部１４ｃを収納空間１８の方向に押圧する。これにより、押圧変形部１４ｃが収納空間１８の方向に変形するとともに、これに連動して湾曲部１４ｂが凸部１３ａから乖離する方向に変形し、電池蓋部１４と電池ホルダー本体部１３の係合が解除される。そして電池蓋部１４を持ち上げると開口部１３ｂが開いた状態になり、電池１５を取り出すことができる。
収納空間１８の周面からは電極１７が電池１５に当接するように突出している。そして図３（Ａ）においては図示されていないが、収納空間１８の底面１８ａには電極１７とは逆の極性の電極１６が形成されており、電極１６によって電池１５は蓋本体部１４ａ方向に付勢される。なお、収納空間１８の底面１８ａに設けられた電極１６は図３（Ｂ）に示すようにコイルバネであってもよい。
【００２７】
また、収納空間１８の側面から突出する電極１７は板バネで構成することも可能である。この場合、図３（Ａ）に示すように電極は１本でも構わないが、図３（Ｂ）のように２本の電極を対向するようにして設けることにより電池１５を収納空間１８の中央に安定して保持することができるので、電池１５を保持できるように複数の電極を配列して設けることがより好ましい。
【００２８】
そして、図では電池蓋部１４は電池１５とは別に設けられているが、電池蓋部１４を電池１５と一体に構成して電池パックとすることも可能である。このように電池蓋部１４を電池１５と一体に構成することにより、電池蓋部１４を取り外した際に電池が落下してしまうといったことがなくなり、電池の紛失が防止できる。
【００２９】
なお、蓋本体部の形状は略円形若しくは多角形であれば良いが、押圧力により電池蓋部を変形させて電池蓋部の脱着を行うという構造上、蓋本体部の形状は、円形若しくは正四角形以上の正多角形であることがより好ましい。
【００３０】
他の実施例として、図１を参照して、電子機器（この図では携帯電話機）の機器本体１０の正面側１１には表示部１１ａ及び操作部１１ｂを有しており、背面側１２には電池蓋部１４が取り付けられている。この電池蓋部１４はほぼ平らな面を有するほぼ円形の蓋本体部１４ａと、蓋本体部１４ａの外周囲に延在する湾曲部１４ｂからなる。この湾曲部は、径方向に複数に分割されている。
なお、蓋本体部１４ａはＡＢＳ樹脂や金属板などの可撓性を有する材料で形成されているが、金属板を用いる際には蓋本体部の内側（図２において収納空間１８に面する側）に絶縁性材料を被着する。
【００３１】
なお、この構造を有する電池収納部及び電池蓋部が使用されるのは電子機器に限られず、電池を使用する全ての機器に応用が可能である。
また、この構造を有する電池収納部及び電池蓋部が設けられる場所は機器本体に限られず、機器本体とは別に設けられ、ケーブルによって機器本体に接続された電池ホルダであってもよい。
【００３２】
以上説明したように、本発明によると、蓋本体部を収納空間側に押圧すると蓋本体部に変形が生じ、この変形に連動して湾曲部が凸部係合位置からの離間方向に変形し、これにより前記電池蓋部の前記電池収納部との係合が解除されるようにしたので、蓋本体部を電池の収納空間側に押圧するだけで電池収納部から電池蓋部を取り外すことができ、電池の取り外しを容易に行うことができる。
【００３３】
本実施の形態では、電池蓋部に押圧変形部を設けることにより、蓋本体部の押圧変形部を押圧した際に電池蓋部の変形量が大きくなり、湾曲部が電池収納部の凸部係合位置からの離間方向に変形する変形量も大きくなるので、電池収納部と電池蓋部との係合解除がより確実に行える。
【００３４】
また、電池収納部に取り付けられる付勢部材は、蓋本体部が押圧により前記収納空間の中心方向へ変形移動する距離の最大値よりも大きな距離を圧縮変形可能であるから、電池蓋部を取り外す際に蓋本体部をより確実に押圧することができ、なおかつ、電池を収納した状態で電池収納部に電池蓋部を取り付けると電池が付勢部材により蓋本体部の方向に充分に付勢される。すなわち、電池蓋部を取り付けた状態では、付勢部材が電池を介して蓋本体部を電池蓋部の取り外し時と逆の方向に押圧するので、湾曲部にも係合凸部からの離間方向と逆の方向、すなわち係合凸部に密着する方向に力が働き、電池蓋部がより確実に電池収納部に係合される。また蓋本体部を、電池蓋部を取り外すのに充分な押圧量以上に押圧し過ぎた場合であっても、電極が破損してしまうことがない。
【００３５】
さらに、蓋本体部の形状は略円形若しくは多角形であるため、電池蓋部を電池収納部に取り付ける際には電池収納部の開口部の上に電池蓋部を合わせてかぶせるだけでよいので、取り付ける方向について厳密に配慮する必要はなく、容易に電池の取り付けができる。
【００３６】
そして、電極を付勢部材とし、また電池蓋部を単一の部材で構成することにより、部品数を少なくすることができ、部品にかかるコストを抑えることができる。
更に、電池蓋部は脱着の際に押圧変形を伴うものであることから、電池蓋部を単一の部材で構成することにより、押圧力伝達の効率化及び部品の耐久性向上が可能となる。
【００３７】
また本実施の形態においては、電池収納部側については外周側に拡径された拡径凸部を開口部に設けるだけであり、電池蓋部については湾曲部を前記拡径凸部に係合する形状とした上で径方向に複数に分割するだけなので、形状及び構造が単純であり、部品の成型にあたって厳しい精度が要求されることもなく、部品にかかるコストが更に抑えられる。
【００３８】
そして本実施の形態では、表示部及び操作部を有し情報端末として用いられる電子機器において電池蓋部を操作部の背面側に設けるようにしたので、電池蓋部が機器操作の邪魔になることがない上、機器使用時に結果的に電池蓋部が機器本体の下側に位置することになっても、電池蓋部の湾曲部が電池収納部の凸部をしっかり把持できる構造であるため、電池蓋部が落下する心配がない。
【００３９】
【発明の効果】
本発明によると、単純な形状かつ少ない部品数で構成され、落下などの衝撃に耐えうる強度を有する電池蓋部を有し、電池を確実に保持できるとともに電池の脱着が容易な電池保持構造及び該構造を有する電子機器を提供することができるという効果がある。
【図面の簡単な説明】
【図１】本発明にかかる電池保持構造を有した電子機器の全体像を示す斜視図であり、（Ａ）は正面図、（Ｂ）は背面図である。
【図２】本発明にかかる電池保持構造を示す概要図であり、（Ａ）は電池蓋部を取り付け電池を保持した状態を示す概要図、（Ｂ）は電池蓋部を取り外すために蓋本体部を押圧した状態を示す概要図、（Ｃ）は電池蓋部を取り外した状態を示す概要図である。
【図３】本発明にかかる電池保持構造を利用した電池ホルダーの斜視図であり、（Ａ）はその一例を示す斜視図、（Ｂ）は他の例を示す斜視図である。
【符号の説明】
１０  機器本体
１３  電池ホルダー本体部
１３ａ、１９ａ  凸部
１３ｂ、１９ｂ  開口部
１４  電池蓋部
１４ａ  蓋本体部
１４ｂ  湾曲部
１４ｃ  押圧変形部
１５  電池
１６、１７  電極
１８  収納空間
１９  電池収納部
【図１】
2004253240.tif 000003
【図２】
2004253240.tif 000004
【図３】
2004253240.tif 000005